(57)【特許請求の範囲】
【請求項１】
細い縦線の並列にて滑りをよくした開閉底付の投入筒を縦割り数分割体にて形成し、該投入筒をホッパー下に相対した時に垂直状態から上開き拡開して該ホッパーより１０個等の定数個にて落下する立体形のティーバッグを摩擦架橋などによる詰まりが生じない散在状態にして受取り、次いで該投入筒を垂直状態に戻して受取りティーバッグ群を降下しやすい状態にして、直下に相対した箱形パッケージ内に前記開閉底を開いて滑り降下充填し、且つ箱形パッケージ内に降下充填したティーバッグ群を押棒の下動により箱形パッケージの規定の高さ以内に押し収めるようにしたことを特徴とする立体形ティーバッグ等の箱形パッケージ内充填方法。
【請求項２】
細い縦線の並列にて滑りのよい開閉底付の投入筒を縦割り数分割体にて形成し、該投入筒を固定のホッパー下に順次相対させる手段と、１０個等の定数個にて落下する立体形のティーバッグを受取る際に投入筒を垂直状態から上開き拡開させる手段と、ティーバッグ群を受取った投入筒を垂直状態に戻す手段と、投入筒の開閉底を開く手段と且つ箱形パッケージ内に落下充填したティーバッグ群を箱形パッケージの規定の高さ以内に押し収める押棒手段とを有せしめたことを特徴とする立体形ティーバッグ等の箱形パッケージ内充填装置。
【請求項３】
各縦割り分割体間の外側に間隙を埋める小幅部材を設け、該小幅部材を縦割り分割体と同調して垂直と上開き拡開させる手段を設けた請求項２に記載の装置。
【請求項４】
各縦割り分割体を滑りのよい縦線を並列した目皿体にて形成する請求項２または３に記載の装置。
【発明の詳細な説明】
【０００１】
【発明が属する技術分野】
この発明はピラミッド形や三角錐形などの立体形をしたティーバッグの箱形パッケージ内充填方法とその装置に関するものである。
【０００２】
【従来の技術】
従来粉茶等を収容したティーバッグは将棋駒形などをした平面形によって、重ねたり整列させることができるためにまとめてパッケージ内に充填することが容易であった。近年、より美味しい味を出すために小形にまるめた茶葉を揺動させたり内部で開かせたりすることができる内部空間を有すピラミッド形や三角錐形などの立体形をしたティーバッグが提供されるようになって、これらの立体形ティーバッグを押潰されないように定数個づつ固定ホッパーより該ホッパー下に回転相対した有底の垂直筒内に落下供給し、これを垂直筒下に相対した箱形パッケージ内に底を開いて落下充填するようにしている。
【０００３】
【発明が解決しようとする課題】
しかしながら、立体形をしたティーバッグ群をホッパーから垂直筒内に落下供給すると垂直筒の内壁との間、またはティーバッグ相互の摩擦によってティーバッグ群が投入筒内にて架橋状態となって筒内に詰まって落下しないという課題があった。また箱形パッケージ内に充填される際も一部のティーバッグが規定の高さ以上に盛り上がって閉塞シールができないという課題があった。
【０００４】
【課題を解決するための手段】
本発明は投入筒を垂直と上開き拡開状態に変化するようにして、ホッパー下に相対したときに上開き拡開状態にして、ホッパーより落下する立体形のティーバッグ群を摩擦詰まりが防止される散在状態にて受入れ、ホッパー下より離れた時に垂直状態に戻して受取りティーバッグ群を落下しやすい状態にして直下に相対した箱形パッケージ内に底を開いて落下充填するようにして、かかる課題を解決するようにしたのである。
【０００５】
【発明の実施の形態】
図１乃至図２に示すようにコンベア１に沿った一側の上方に円形の間歇回転テーブル２を設け、該テーブル２の前記コンベア１に重なる外周に縦割り四分割体等にて形成した投入筒３を周設する。各投入筒３の分割体３ａは滑りのよい縦線が並列した目皿状であって、歯車機構４にて下端上を支点にして垂直状態と上開き拡開状態に変化するように構成されている。３ｂは開閉底である。円形テーブル２の反対側の上方には固定のホッパー５が設けられている。
【０００６】
間歇回転テーブル２の回転によりホッパー５下に投入筒３が相対すると、投入筒３は図２乃至図３に示すように歯車機構４の作動により下端上を支点に上開き拡開し、１０個等の定数個づつにて落下する図７に示すような三角錐形など立体形のティーバッグ６群を受入れる。投入筒３は上部の拡開によりティーバッグ６群を散在状態にして受取ることにより、投入筒３内壁との間およびティーバッグ同士の摩擦などによって生ずる架橋状態によるティーバッグ６群の詰まりが生じないこととなる。また各分割体３ａを滑りがよい細い縦線が並列した目皿状とすることによりティーバッグ６群との間の摩擦が格段に軽減するので摩擦架橋による詰まりの発生を確実に防止することとなる。なお、投入筒３が拡開して広い受入れ空間を形成することによりホッパー５の吐出口もその分大きくすることができるので、ホッパーの吐出口部分における詰まりのおそれも同時に解消することができるものとなる。
【０００７】
投入筒３の各分割体３ａ間の外側には分割体間の開き間隙を埋めるための小幅部材３ｃを配設し、図６（ａ）（ｂ）に示すように、傾斜重合する長穴３ｄ，３ｅをピン３ｆ連結する同調拡開手段により投入筒３の各分割体３ａの上開き拡開作動に同調して開閉するようにして、分割体３ａ間の間隙からティーバッグ６群が飛び出すことを防止するようにしている。また各分割体３ａの上端部は外開き曲げしてより広い受入れ口を形成するようにし、さらに分割体３ａを構成する縦線の上端間には横棒体３ｇを取付けて、ティーバッグ６に付いている取出し用の紐輪６ａが縦線に引掛かるおそれが生じないようにしている。
【０００８】
ティーバッグ６群を受入れた投入筒３はテーブル２の間歇回転にてホッパー５下を離れる過程で歯車機構４の逆回転にて垂直状態に戻り、この戻りによる筒壁の垂直化によって架橋なく散在した状態にある受取りティーバッグ６群はさらに降下しやすい状態となる。図１に示すようにコンベア１上を間歇走行する箱形パッケージ７上に投入筒３が相対すると、開き機構８の押し下動により投入筒３の開閉底３ｂは二つ割り形式にて開いてティーバッグ６群を箱形パッケージ７内に落下投入すると同時に投入筒３の上方位置に設けた押棒９が投入筒３内を通って降下し、投入したティーバッグ６群を箱形パッケージ７内の規定の高さ以内に収まるように軽く押込みするのである。ティーバッグ６群の充填を終えた箱形パッケージ７は開口部を閉塞する閉塞シール工程へと進むこととなるが、ティーバッグ６群は規定の高さ以上に盛り上がることがないから閉塞シール作業は支障なく行なわれることとなる。
【０００９】
以上の装置はホッパーの計数機構等を調整することにより１０個入りパッケージのほか１５個入りや２０個入り大きさの異なる箱形パッケージ７の充填用として対応できるものである。
【００１０】
【発明の効果】
本発明は以上のようにして、投入筒を垂直と上開き拡開状態に変化するように構成して、ホッパーより１０個等の定数個づつにて落下供給される立体形のティーバッグを上開き拡開して摩擦架橋による詰まりを防止するように散在させて受入れ、投入筒を垂直状態に戻す過程で受入れティーバッグ群を降下しやすい状態にして相対した箱形パッケージ内に落下充填するようにしたので、ティーバッグ群が立体的であっても投入筒に詰まって箱形パッケージ内に充填されない事態を解消して確実に箱形パッケージ内に充填することができるという効果を生ずる。
【００１１】
また押棒にてティーバッグ群を箱形パッケージの規定の高さ以内に押入れ充填するので、ティーバッグの一部が箱形パッケージ上に盛り上がることによる閉塞シールの不能を解消することができるという効果を生ずる。
【図面の簡単な説明】
【図１】  本発明の装置の１実施例を示す正面図
【図２】  同、間歇回転テーブルの平面図
【図３】  投入筒の拡大縦断正面図
【図４】  同、横断平面図
【図５】  同、下半部分の横断平面図
【図６】  （ａ）（ｂ）は投入筒の縦割り分割体と小幅部材が同調開閉する状態を示す平面図
【図７】  立体形ティーバッグと箱形パッケージの一例を示す斜視図
【符号の説明】
１はコンベア
２は間歇回転テーブル
３は投入筒
３ａは縦割り分割体
３ｂ開閉底
３ｃは小幅部材
３ｄ，３ｅは長穴
３ｆはピン
４は歯車機構
５はホッパー
６はティーバッグ
７は箱形パッケージ
８は開閉底の開き機構
９は押棒
【図１】
0003699405.tif 000002
【図２】
0003699405.tif 000003
【図３】
0003699405.tif 000004
【図４】
0003699405.tif 000005
【図５】
0003699405.tif 000006
【図６】
0003699405.tif 000007
【図７】
0003699405.tif 000008